(57)【要約】【課題】各放電セルでの発光維持動作開始時間を一定とし、全ての放電セルにおいて発光維持動作が正常に行うことができるプラズマディスプレイ装置を提供することを目的とする。【解決手段】プラズマディスプレイ装置において、発光維持期間において少なくとも最初に印加される維持パルス波形の立ち上がり期間を含む期間に、データ電極にデータ電圧波形を印加するもので、書き込み動作完了から発光維持期間までの時間が各放電セルで異なる場合においても、全ての放電セルにおいて発光維持動作が正常に行うことができ、隣接放電セルにおける放電によって壁電荷が弱められ正常な発光維持動作ができないことによる画質の劣化を防止することができる。【選択図】図１
2005037822.tif 000002
【特許請求の範囲】
【請求項１】
一対の走査電極と維持電極からなる複数の表示電極及びこの表示電極に交差するように配置される複数のデータ電極とで複数の放電セルを構成したプラズマディスプレイパネルと、放電させる放電セルを選択する書き込み期間及び放電セルの表示電極に維持パルスを印加して維持放電させる維持期間を設けて前記プラズマディスプレイパネルを表示駆動するための駆動回路とを有し、前記駆動回路は、前記維持期間において前記表示電極に印加される維持パルスのうち、少なくとも最初に印加される維持パルスの立ち上がり期間を含む期間に、前記データ電極にデータ電圧を印加するように構成したことを特徴とするプラズマディスプレイ装置。
【請求項２】
維持期間においてデータ電極に印加されるデータ電圧は、パルス状波形であることを特徴とする請求項１に記載のプラズマディスプレイ装置。
【請求項３】
維持期間においてデータ電極に印加されるデータ電圧は、表示電極に印加する電圧波形と同期していることを特徴とする請求項１に記載のプラズマディスプレイ装置。
【発明の詳細な説明】
【技術分野】
【０００１】
本発明は、放電を制御することにより画像を表示するプラズマディスプレイ装置に関するものである。
【背景技術】
【０００２】
図４にプラズマディスプレイパネル（以下パネルという）の一部斜視図を示す。図４に示すように、第１のガラス基板１上には誘電体層２及び保護膜３で覆われた表示電極を構成する走査電極４と維持電極５とが対を成して互いに平行に複数配設されている。第２のガラス基板６上には絶縁体層７で覆われたデータ電極８が前記表示電極と交差するように複数配設され、データ電極８の間の絶縁体層７上にデータ電極８と平行して隔壁９が設けられている。また、絶縁体層７の表面から隔壁９の側面にかけて蛍光体１０が設けられ、走査電極４及び維持電極５とデータ電極８とが直交するように第１のガラス基板１と第２のガラス基板６とが放電空間１１を挟んで対向して配置されている。また、放電空間１１には放電ガスが封入されている。また、隣接する２つの隔壁９に挟まれ、データ電極８と対向する走査電極４と維持電極５との交差部の放電空間には放電セル１２が構成されている。
【０００３】
図５にプラズマディスプレイ装置の階調表現方法を示しており、以下に説明する。プラズマディスプレイ装置は放電現象を利用しているため放電セル１２は点灯及び非点灯の２つの状態しか持たない。従って中間調の階調表現を行うために１フィールドを複数のサブフィールドに分割し、それぞれのサブフィールドに発光輝度に対応した重み付けを行い、フィールド毎に発光の有無を制御することで階調表現をしている。例えば図５に示すように１フィールドを８つのサブフィールドに分割し、それぞれのサブフィールドＳＦ１からＳＦ８の発光輝度の重みを「１」、「２」、「４」、「８」、「１６」、「３２」、「６４」、「１２８」として配置する。階調「１５」を表現する場合、ＳＦ１、ＳＦ２、ＳＦ３及びＳＦ４における書き込み期間において書き込み動作を行うことにより、サブフィールドそれぞれの重みである「１」、「２」、「４」及び「８」に相当する発光維持動作が行われ、階調「１５」が表現される。また階調「１６」を表現する場合は、ＳＦ５においてのみ書き込み動作を行うことで階調「１６」に相当する発光維持動作が行われる。
【０００４】
図６にプラズマディスプレイ装置の駆動に関する１フィールドにおける時間割構成図と駆動波形を示す。図６に示すように、例えば１フィールドは複数のサブフィールド、例えば８つのサブフィールドで構成されており、これらのサブフィールドはそれぞれ書き込み期間、発光維持期間及び消去初期化期間で構成され、１フィールドは最初にある初期化期間、それに続く複数のサブフィールドから構成されている。次に各サブフィールドにおける処理について説明する。
【０００５】
書き込み期間において、全ての維持電極ＳＵＳ１〜ＳＵＳＮをＶｈ（Ｖ）に、全ての走査電極ＳＣＮ１〜ＳＣＮＮをＶｇ（Ｖ）に保持し、全てのデータ電極Ｄ１〜ＤＭのうち、１行目に表示すべき放電セル１２に対応する所定のデータ電極Ｄｉ（ｉは１〜ｍの整数を表す）に正の書き込みパルス電圧Ｖｗ（Ｖ）を印加し、１行目の走査電極ＳＣＮ１に走査パルス電圧Ｖａ（Ｖ）を印加する。このとき所定のデータ電極Ｄｉと走査電極ＳＣＮ１との交差部における絶縁体層７の表面と走査電極ＳＣＮ１上の保護膜３の表面との間の電圧は、書き込みパルス電圧Ｖｗ（Ｖ）に全てのデータ電極Ｄ１〜ＤＭ上の絶縁体層７の表面に前段の初期化動作によって蓄積された正の壁電圧が加算されたものとなるため、この交差部において所定のデータ電極Ｄｉと走査電極ＳＣＮ１との間及び維持電極ＳＵＳ１と走査電極ＳＣＮ１との間にそれぞれ書き込み放電が起こり、この交差部の走査電極ＳＣＮ１上の保護膜３の表面に正の壁電圧が蓄積され、維持電極ＳＵＳ１上の保護膜３の表面に負の壁電圧がデータ電極Ｄｉ上の絶縁体層７の表面に負の壁電圧がそれぞれ蓄積される。また全てのデータ電極Ｄ１〜ＤＭに対し同様な動作が引き続いて行われ、書き込み期間における書き込み動作が終了する。
【０００６】
書き込み動作に続く維持期間の維持動作において、まず全ての走査電極ＳＣＮ１〜ＳＣＮＮ及び維持電極ＳＵＳ１〜ＳＵＳＮを０（Ｖ）に保持した後、全ての走査電極ＳＣＮ１〜ＳＣＮＮに正の維持パルス電圧Ｖｍ（Ｖ）を印加すると、書き込み放電を起こした放電セル１２における走査電極４上の保護膜３の表面と維持電極５上の保護膜３の表面との間の電圧は、維持パルス電圧Ｖｍ（Ｖ）に、書き込み期間において蓄積された走査電極４上の保護膜３の正の壁電圧及び維持電極５上の保護膜３の表面に蓄積された負の壁電圧が加算されたものになり、これは放電開始電圧を超える。このため、書き込み放電を起こした放電セル１２において、走査電極４と維持電極５との間に維持放電が起こり、この維持放電を起こした放電セル１２における走査電極４上の保護膜３の表面には負の壁電圧が蓄積され、維持電極５上の保護膜３の表面には正の壁電圧が蓄積される。その後、維持パルス電圧は０（Ｖ）に戻る。
【０００７】
続いて、全ての維持電極ＳＵＳ１〜ＳＵＳＮに正の維持パルス電圧Ｖｍ（Ｖ）を印加すると、維持放電を起こした放電セル１２における走査電極４上の保護膜３の表面と維持電極５上の保護膜３の表面との間の電圧は、維持パルス電圧Ｖｍ（Ｖ）に、直前の維持放電によって蓄積された走査電極４上の保護膜３の表面の負の壁電圧及び維持電極５上の保護膜３の表面に蓄積された正の壁電圧が加算されたものになる。このため、直前に維持放電を起こした放電セル１２において、走査電極４と維持電極５との間に維持放電が起こり、この維持放電を起こした放電セル１２における走査電極４上の保護膜３の表面には正の壁電圧が蓄積され、維持電極５上の保護膜３の表面には負の壁電圧が蓄積される。その後、維持パルス電圧は０（Ｖ）に戻る。
【０００８】
以降同様に、全ての走査電極ＳＣＮ１〜ＳＣＮＮと全ての維持電極ＳＵＳ１〜ＳＵＳＮとに正の維持パルス電圧Ｖｍ（Ｖ）を交互に印加することにより、維持放電が継続して行われる。また前段の書き込み期間において書き込み動作が行われなかったセルに関しては、発光維持動作は行われない。発光維持期間においては走査電極及び維持電極に各サブフィールドに重み付けされた値に応じた発光維持用の発光維持パルスが印加され、例えば、発光の重み付けが“１６”であるサブフィールドの発光維持期間において発光維持動作が行われた場合、輝度レベル１６が得られる。
【０００９】
以上のように書き込み期間は発光する放電セルを選択する期間であり、発光維持期間は各サブフィールドの重み付けに応じた回数の維持発光が行われる期間である。すなわち図５に示す各サブフィールドＳＦ１からＳＦ８が例えばそれぞれ「１」、「２」、「４」、「８」、「１６」、「３２」、「６４」及び「１２８」の重み付けがなされている場合、各放電セルにおいて輝度レベルは０から２５５までの全２５６段階が表現可能である（特許文献１参照）。
【００１０】
しかし、複数ある各放電セルを順次走査した後に発光維持動作を行う場合、書き込み動作を行った後、時間の経過とともに各電極に蓄積された壁電荷が弱められ、また書き込み動作完了から発光維持期間までの時間が各放電セルで異なるため、発光維持動作開始時には各放電セルに蓄積された壁電荷の量が異なる場合がある。この場合、各放電セルを構成する走査電極４または維持電極５に発光維持パルスが印加される際には、隣り合う放電セルでの放電開始時間が異なるため、先に放電を開始した放電セルでの放電によりその時点でまだ放電を開始していない、隣り合う放電セルにおいて蓄積された壁電荷が弱められ、その結果、壁電荷が弱められた放電セルにおいては電極に印加される発光維持パルス電圧と壁電荷の和が放電開始電圧未満となるため正常な発光維持動作ができなくなり、所定の放電セルが暗点になる等、画質が大きく劣化するという問題があった。
【特許文献１】特開平８−２１２９３０号公報
【発明の開示】
【発明が解決しようとする課題】
【００１１】
本発明はこのような課題を解決するもので、各放電セルでの発光維持動作開始時間を一定とし、全ての放電セルにおいて発光維持動作が正常に行うことができるプラズマディスプレイ装置を提供することを目的とする。
【課題を解決するための手段】
【００１２】
本発明は上記の課題に対して、複数ある放電セルを順次走査し、書き込み動作完了から発光維持期間までの時間が各放電セルで異なる場合においても、発光維持パルスの立ち上がり期間を含む期間において、データ電極にデータ電圧を印加することを特徴とする。
【発明の効果】
【００１３】
本発明のプラズマディスプレイ装置は、各放電セルでの発光維持動作開始時間を一定とし、全ての放電セルにおいて発光維持動作が正常に行うことができ、隣接放電セルにおける放電によって壁電荷が弱められ正常な発光維持動作ができないことによる画質の劣化を防止することができる。
【発明を実施するための最良の形態】
【００１４】
本発明のプラズマディスプレイ装置は、一対の走査電極と維持電極からなる複数の表示電極及びこの表示電極に交差するように配置される複数のデータ電極とで複数の放電セルを構成したプラズマディスプレイパネルと、放電させる放電セルを選択する書き込み期間及び放電セルの表示電極に維持パルスを印加して維持放電させる維持期間を設けて前記プラズマディスプレイパネルを表示駆動するための駆動回路とを有し、前記駆動回路は、前記維持期間において前記表示電極に印加される維持パルスのうち、少なくとも最初に印加される維持パルスの立ち上がり期間を含む期間に、前記データ電極にデータ電圧を印加するように構成したことを特徴とする。
【００１５】
また、維持期間においてデータ電極に印加されるデータ電圧は、パルス状波形であることを特徴とし、さらに維持期間においてデータ電極に印加されるデータ電圧は、表示電極に印加する電圧波形と同期していることを特徴とする。
【００１６】
これにより、複数ある放電セルを順次走査し、書き込み動作完了から発光維持期間までの時間が各放電セルで異なる場合においても、発光維持パルスの立ち上がり期間を含む期間においてデータ電極に電圧波形を印加することにより、各放電セルでの発光維持動作開始時間を一定とし、全ての放電セルにおいて発光維持動作が正常に行うことができる。
【００１７】
以下、本発明の一実施の形態を示す図１〜図３を用いて説明する。
【００１８】
図１に本発明の一実施の形態によるプラズマディスプレイ装置の構成図を示し、図１において、２１はパネル、２２はパネル２１の走査電極４に電圧を印加する走査ドライバ、２３はパネル２１の維持電極５に電圧を印加する維持ドライバ、２４はパネル２１のデータ電極８に電圧を印加するデータドライバ、２５はサブフィールド変換手段である。
【００１９】
データドライバ２４、走査ドライバ２２及び維持ドライバ２３は、プラズマディスプレイパネル２１に接続されている。また、サブフィールド変換手段２５はデータドライバ２４に接続されており、映像データが入力される。走査ドライバ２２はプラズマディスプレイパネル２１内部の全放電セルにおいて安定した初期化放電、書き込み放電、発光維持放電及び消去放電を行うことができるように、各サブフィールドの発光維持期間を含む初期化期間、書き込み期間及び消去期間において、それぞれ初期化動作用、発光維持動作用、書き込み動作用及び消去動作用パルスを発生する。
【００２０】
また、維持ドライバ２３はプラズマディスプレイパネル２１内部の全放電セルにおいて安定した初期化放電、書き込み放電、発光維持放電及び消去放電を行うことができるように、各サブフィールドの発光維持期間を含む初期化期間、書き込み期間及び消去期間において、それぞれ初期化動作用、発光維持動作用、書き込み動作用及び消去動作用パルスを発生する。
【００２１】
また、サブフィールド変換手段２５は階調に応じて書き込みを行うサブフィールドを決定しデータドライバ２４に出力する。次にデータドライバ２４は、プラズマディスプレイパネル２１内部の全放電セルにおいて書き込み放電を行うことができるように、各サブフィールドの書き込み期間にサブフィールド変換手段２５を介して入力される映像信号に応じて、オンまたはオフする書き込み電圧パルスを発生する。また、各サブフィールドの発光維持期間には維持動作に作用する電圧パルスを発生する。これにより、所定の放電セルにおいて初期化動作、発光維持動作、書き込み動作及び消去初期化動作が行われ、プラズマディスプレイパネルに映像が映し出される。
【００２２】
図２にプラズマディスプレイ装置の駆動波形を示し、図３に１フィールドにおける駆動時間割構成及び駆動波形図を示す。
【００２３】
図２及び図３において、１フィールドを少なくとも発光維持期間を含む複数のサブフィールドで構成するプラズマディスプレイ装置であって、発光維持期間において走査電極及びまたは維持電極に印加される維持波形のうち少なくとも最初に印加される維持パルス波形の立ち上がり期間を含む期間に、データ電極にデータ電圧波形を印加する場合について説明する。
【００２４】
図３に示すように、１フィールドは８つのサブフィールドで構成されており、これらのサブフィールドはそれぞれ書き込み期間、発光維持期間及び消去初期化期間で構成され、１フィールドは最初にある初期化期間、それに続く複数のサブフィールドから構成されている。サブフィールドＳＦ１からＳＦ８は順番に処理され、全ての処理は１フィールドの期間内で行われる。
【００２５】
図２に示すように、各サブフィールドにおける書き込み期間には走査電極４に書き込みパルスが印加されることで順次走査され、データ電極８からパルスを受けた放電セル１２のみに所定の書き込み動作が行われる。この書き込み動作により走査電極４上の保護膜３の表面に正の壁電圧が、維持電極５上の保護膜３の表面に負の壁電圧が、データ電極８上の絶縁体層７の表面に負の壁電圧がそれぞれ蓄積される。
【００２６】
次に、全ての走査電極４及び維持電極５を０（Ｖ）に保持した後、全ての走査電極４に正の維持パルス電圧を印加すると、書き込み放電を起こした放電セル１２における走査電極４上の保護膜３の表面と維持電極５上の保護膜３の表面との間の電圧は、維持パルス電圧に、書き込み期間において蓄積された走査電極４上の保護膜３の正の壁電圧及び維持電極５上の保護膜３の表面に蓄積された負の壁電圧が加算されたものになり、これは放電開始電圧を超える。このため、書き込み放電を起こした放電セル１２において、走査電極４と維持電極５との間に維持放電が起こる。
【００２７】
ここで、走査電極４に印加される維持電圧パルスの立ち上がりを含む期間にデータ電極８に正のデータ電圧パルスＶｐ（Ｖ）を印加することで、負の壁電荷が蓄積された維持電極５とデータ電極８との間の電圧は放電開始電圧を超える。これにより維持電極５とデータ電極８との間に放電が起こり、この放電をトリガにして走査電極４と維持電極５との間での維持放電が誘起される。
【００２８】
書き込み動作が行われた後、発光維持期間までの時間に各電極に蓄積された壁電圧は時間の経過とともに徐々に弱められる場合があるため、隣接する各放電セル１２の放電開始電圧が異なる場合があるが、維持電極５とデータ電極８との間の放電をトリガにした場合の維持放電は放電遅れが小さい放電となるため、書き込み動作からの時間の経過に伴い壁電圧が弱められた場合でも、各放電セルでの放電開始時間のバラツキを少なくすることができる。この場合、各放電セル１２での発光維持動作の開始時間がほぼ同じとなるため、所定の放電セル１２での放電により隣接する放電セル１２に蓄積された壁電荷が弱められることがなく、所定の放電セルが暗点等になることによる画質の劣化を防止することができる。またデータ電圧パルスの電圧は書き込み放電を行わなかった放電セルに関してはデータ電極と走査電極４または維持電極５との間の電圧が放電開始電圧未満となるような大きさである。
【００２９】
なお、サブフィールド数及び各サブフィールドの重み付けの値も必ずしも図３に示す値である必要はなく、各サブフィールドの発光維持期間における維持発光の組み合わせによって階調を表現できる重み付けの値であれば同様の効果を得ることができる。また、データ電圧パルスＶｐ（Ｖ）は必ずしも全維持パルスに対して印加する必要はなく、少なくとも最初に印加される維持パルスと同期して印加され、隣接する放電セル１２間での放電遅れの差がなくなるだけの数を維持パルスと同期して印加することにより、同様の効果を得ることができる。また、図２では書き込み動作を行った放電セルにおいて発光維持動作を行う駆動方法を用いて説明したが、先に発光維持動作を行い、書き込み動作によって発光する放電セルを消去する駆動方法であっても、発光維持期間の最初に隣接する放電セル間において放電遅れの差が生じる場合であれば同様の効果を得ることができる。
【産業上の利用可能性】
【００３０】
以上のように本発明は、複数ある放電セルを順次走査し、書き込み動作完了から発光維持期間までの時間が各放電セルで異なる場合においても、各放電セルでの発光維持動作開始時間を一定とし、全ての放電セルにおいて発光維持動作が正常に行うことができるプラズマディスプレイ装置を提供することができる。
【図面の簡単な説明】
【００３１】
【図１】本発明の一実施の形態におけるプラズマディスプレイ装置を示す構成図
【図２】同プラズマディスプレイ装置の駆動波形を示す波形図
【図３】同プラズマディスプレイ装置の１フィールドにおける駆動時間割構成及び駆動波形を示す説明図
【図４】プラズマディスプレイパネルの斜視図
【図５】プラズマディスプレイ装置における階調表現方法を示す図
【図６】従来のプラズマディスプレイ装置の１フィールドにおける駆動時間割構成及び駆動波形を示す説明図
【符号の説明】
【００３２】
４  走査電極
５  維持電極
８  データ電極
１２  放電セル
２１  プラズマディスプレイパネル
２２  走査ドライバ
２３  維持ドライバ
２４  データドライバ
２５  サブフィールド変換手段
【図１】
2005037822.tif 000003
【図２】
2005037822.tif 000004
【図３】
2005037822.tif 000005
【図４】
2005037822.tif 000006
【図５】
2005037822.tif 000007
【図６】
2005037822.tif 000008